(57)【特許請求の範囲】
【請求項１】
幅に関する情報も含んだ道路の位置座標を示す情報である道路情報と、マンホールの識別情報と管理者を示す情報である属性と位置座標を関連付けたマンホール情報と、いずれかのマンホールの識別情報と関連付けされた埋設物の形状と深さを含む当該マンホールとの相対的な位置を示す情報である埋設物情報を記録した記録部と、
前記道路情報を用いて、道路の中心線の位置座標の情報である中心線情報を求める中心線生成部と、
マンホールごとに、前記マンホール情報の位置座標から中心線までの距離である中心線離隔を求める中心線離隔計算部と、
指定された位置を含む前記中心線と垂直な面である断面の図を作成する断面生成部と、
前記断面に存在する埋設物の属性ごとに、前記断面の近傍のマンホールを選定し、選定マンホールとするマンホール選定部と、
前記選定マンホールの中心線離隔と、前記選定マンホールに関連付けされた埋設物情報に基づいて、前記断面の図に埋設物の図を配置する埋設物配置部と、
を備える埋設物位置推定装置。
【請求項２】
幅に関する情報も含んだ道路の位置座標を示す情報である道路情報と、マンホールの識別情報と管理者を示す情報である属性と位置座標を関連付けたマンホール情報を記録した記録部と、
前記道路情報を用いて、道路の中心線の位置座標の情報である中心線情報を求める中心線生成部と、
マンホールごとに、前記マンホール情報の位置座標から中心線までの距離である中心線離隔を求める中心線離隔計算部と、
指定された位置を含む前記中心線と垂直な面である断面の図を作成する断面生成部と、
前記断面に存在する埋設物の属性ごとに、前記断面の近傍のマンホールを選定し、選定マンホールとするマンホール選定部と、
前記選定マンホールの識別情報と関連付けされた埋設物の形状と深さを含む前記選定マンホールとの相対的な位置を示す情報である埋設物情報を取得する埋設物情報取得部と、
前記選定マンホールの中心線離隔と、前記選定マンホールに関連付けされた埋設物情報に基づいて、前記断面の図に埋設物の図を配置する埋設物配置部と、
を備える埋設物位置推定装置。
【請求項３】
幅に関する情報も含んだ道路の位置座標を示す情報である道路情報と、マンホールの識別情報と管理者を示す情報である属性と位置座標を関連付けたマンホール情報を記録した記録部と、
前記道路情報を用いて、道路の中心線の位置座標の情報である中心線情報を求める中心線生成部と、
指定された位置を含む前記中心線と垂直な面である断面の図を作成する断面生成部と、
前記断面に存在する埋設物の属性ごとに、前記断面の近傍のマンホールを選定し、選定マンホールとするマンホール選定部と、
前記選定マンホールごとに、前記マンホール情報の位置座標から中心線までの距離である中心線離隔を求める中心線離隔計算部と、
前記選定マンホールの識別情報と関連付けされた埋設物の形状と深さを含む前記選定マンホールとの相対的な位置を示す情報である埋設物情報を取得する埋設物情報取得部と、
前記選定マンホールの中心線離隔と、前記選定マンホールに関連付けされた埋設物情報に基づいて、前記断面の図に埋設物の図を配置する埋設物配置部と、
を備える埋設物位置推定装置。
【請求項４】
請求項１から３のいずれかに記載の埋設物位置推定装置であって、
前記埋設物配置部が配置した埋設物の図に基づいて、前記断面での埋設物の横断図を生成する横断図生成部
も備える埋設物位置推定装置。
【請求項５】
請求項１から４のいずれかに記載の埋設物位置推定装置であって、
前記埋設物配置部が配置した埋設物の図に基づいて、埋設物同士の距離である相対離隔を求める離隔計算部
も備える埋設物位置推定装置。
【請求項６】
断面生成部、マンホール選定部、埋設物配置部、記録部を備えた埋設物位置推定装置を用いた埋設物位置推定方法であって、
あらかじめ前記記録部に、幅に関する情報も含んだ道路の位置座標を示す情報である道路情報を用いて求めた道路の中心線の位置座標の情報である中心線情報と、マンホールの識別情報と管理者を示す情報である属性と位置座標を関連付けたマンホール情報と、前記マンホール情報の位置座標から前記中心線までの距離である中心線隔離の情報と、いずれかのマンホールの識別情報と関連付けされた埋設物の形状と深さを含む当該マンホールとの相対的な位置を示す情報である埋設物情報を記録しておき、
前記断面生成部が、指定された位置を含む前記中心線と垂直な面である断面の図を作成する断面生成ステップと、
前記マンホール選定部が、前記断面に存在する埋設物の属性ごとに、前記断面の近傍のマンホールを選定し、選定マンホールとするマンホール選定ステップと、
前記埋設物配置部が、前記選定マンホールの中心線離隔と、前記選定マンホールに関連付けされた埋設物情報に基づいて、前記断面の図に埋設物の図を配置する埋設物配置ステップと、
を実行する埋設物位置推定方法。
【請求項７】
断面生成部、マンホール選定部、埋設物情報取得部、埋設物配置部、記録部を備えた埋設物位置推定装置を用いた埋設物位置推定方法であって、
あらかじめ前記記録部に、幅に関する情報も含んだ道路の位置座標を示す情報である道路情報を用いて求めた道路の中心線の位置座標の情報である中心線情報と、マンホールの識別情報と管理者を示す情報である属性と位置座標を関連付けたマンホール情報と、前記マンホール情報の位置座標から前記中心線までの距離である中心線隔離の情報を記録しておき、
前記断面生成部が、指定された位置を含む前記中心線と垂直な面である断面の図を作成する断面生成ステップと、
前記マンホール選定部が、前記断面に存在する埋設物の属性ごとに、前記断面の近傍のマンホールを選定し、選定マンホールとするマンホール選定ステップと、
前記埋設物情報取得部が、前記選定マンホールの識別情報と関連付けされた埋設物の形状と深さを含む前記選定マンホールとの相対的な位置を示す情報である埋設物情報を取得する埋設物情報取得ステップと、
前記埋設物配置部が、前記選定マンホールの中心線離隔と、前記選定マンホールに関連付けされた埋設物情報に基づいて、前記断面の図に埋設物の図を配置する埋設物配置ステップと、
を実行する埋設物位置推定方法。
【請求項８】
断面生成部、マンホール選定部、中心線隔離計算部、埋設物情報取得部、埋設物配置部、記録部を備えた埋設物位置推定装置を用いた埋設物位置推定方法であって、
あらかじめ前記記録部に、幅に関する情報も含んだ道路の位置座標を示す情報である道路情報を用いて求めた道路の中心線の位置座標の情報である中心線情報と、マンホールの識別情報と管理者を示す情報である属性と位置座標を関連付けたマンホール情報を記録しておき、
前記断面生成部が、指定された位置を含む前記中心線と垂直な面である断面の図を作成する断面生成ステップと、
前記マンホール選定部が、前記断面に存在する埋設物の属性ごとに、前記断面の近傍のマンホールを選定し、選定マンホールとするマンホール選定ステップと、
前記中心線離隔計算部が、前記選定マンホールごとに、前記マンホール情報の位置座標から中心線までの距離である中心線離隔を求める中心線離隔計算ステップと、
前記埋設物情報取得部が、前記選定マンホールの識別情報と関連付けされた埋設物の形状と深さを含む前記選定マンホールとの相対的な位置を示す情報である埋設物情報を取得する埋設物情報取得ステップと、
前記埋設物配置部が、前記選定マンホールの中心線離隔と、前記選定マンホールに関連付けされた埋設物情報に基づいて、前記断面の図に埋設物の図を配置する埋設物配置ステップと、
を実行する埋設物位置推定方法。
【請求項９】
請求項６から８のいずれかに記載の埋設物位置推定方法であって、
前記埋設物位置推定装置が横断図生成部も備え、
前記横断図生成部が、前記埋設物配置ステップで配置した埋設物の図に基づいて、前記断面での埋設物の横断図を生成する横断図生成ステップ
も実行する埋設物位置推定方法。
【請求項１０】
請求項６から９のいずれかに記載の埋設物位置推定方法であって、
前記埋設物位置推定装置が離隔計算部も備え、
前記離隔計算部が、前記埋設物配置ステップで配置した埋設物の図に基づいて、埋設物同士の距離である相対離隔を求める離隔計算ステップ
も実行する埋設物位置推定方法。
【請求項１１】
請求項１から５のいずれかに記載の埋設物位置推定装置としてコンピュータを機能させるための埋設物位置推定プログラム。
【発明の詳細な説明】
【技術分野】
【０００１】
本発明は、道路の地下の埋設物の位置関係を推定するための埋設物位置推定装置、埋設物位置推定方法、埋設物位置推定プログラムに関する。
【背景技術】
【０００２】
道路の地下の埋設物あるいは道路自体を管理する技術として特許文献１，２などが従来技術として知られている。特許文献１にはケーブル位置の測定及び測定情報の管理を効率的に行うことができるケーブル位置情報管理システムが記載されており、管理対象であるケーブルの位置は、官民境界又は歩車道境界からの距離で特定されている。特許文献２には、任意に選択される測定値を、分かり易い状態で出力することが可能な計測管理システムが記載されており、官民境界などを測定点としながら、道路の横断面を作成している。
【先行技術文献】
【特許文献】
【０００３】
【特許文献１】特開２００４−１０９０８４号公報
【特許文献２】特開２０１８−１３３３３号公報
【発明の概要】
【発明が解決しようとする課題】
【０００４】
地下の埋設物には、通信用の管路だけでなく、電力用の管路、ガス管、水道管なども存在する。埋設物の工事を行う際の事故を防止するには、他の管理者が管理する埋設物も含めた埋設物の位置関係または埋設物同士の離隔を知ることは重要である。しかしながら、現状では埋設物の位置を特定するための基準をそれぞれの管理者が決めているため、共通の基準が存在しない。したがって、各管理者が保有している情報を入手しても、埋設物同士の位置関係が分からないという課題がある。
【０００５】
本発明は、このような課題に鑑みてなされたものであり、別々に管理されている埋設物の位置関係を知るための横断図作成装置を提供することを目的とする。
【課題を解決するための手段】
【０００６】
本発明の埋設物位置推定装置は、記録部、中心線生成部、中心線離隔計算部、断面生成部、マンホール選定部、埋設物配置部を備える。記録部は、幅に関する情報も含んだ道路の位置座標を示す情報である道路情報と、マンホールの識別情報と属性と位置座標を関連付けたマンホール情報を記録する。中心線生成部は、道路情報を用いて、道路の中心線の位置座標の情報である中心線情報を求める。中心線離隔計算部は、マンホール情報の位置座標から中心線までの距離である中心線離隔を求める。断面生成部は、指定された位置を含む中心線と垂直な面である断面の図を作成する。マンホール選定部は、断面に存在する埋設物の属性ごとに、断面の近傍のマンホールを選定し、選定マンホールとする。埋設物配置部は、選定マンホールの中心線離隔と、選定マンホールに関連付けされた埋設物情報に基づいて、断面の図に埋設物の図を配置する。なお、いずれかのマンホールの識別情報と関連付けされた埋設物の形状と位置を示す情報である埋設物情報を記録部が記憶しておいてもよいし、埋設物情報取得部も備え、必要な埋設物情報を外部から取得してもよい。
【発明の効果】
【０００７】
本発明の埋設物位置推定装置によれば、道路表面に存在するマンホールと道路の中心線との位置関係を求めることで、位置の基準を統一できるので、別々に管理されている異なる属性の埋設物の位置関係を求めることができる。
【図面の簡単な説明】
【０００８】
【図１】埋設物位置推定システムの機能構成例を示す図。
【図２】実施例１の埋設物位置推定装置の処理フローの例を示す図。
【図３】道路の平面図であり、属性の異なるマンホール、地下設備の経路などを示した図。
【図４】図３の位置１３１を含む道路９００の中心線１１１に垂直な断面１３２を示した図。
【図５】変形例１の埋設物位置推定装置の処理フローの例を示す図。
【図６】変形例２の埋設物位置推定装置の処理フローの例を示す図。
【図７】コンピュータの機能構成例を示す図。
【発明を実施するための形態】
【０００９】
以下、本発明の実施の形態について、詳細に説明する。なお、同じ機能を有する構成部には同じ番号を付し、重複説明を省略する。
【実施例１】
【００１０】
図１に埋設物位置推定システムの機能構成例を示す。図２に実施例１の埋設物位置推定装置の処理フローの例を示す。埋設物位置推定システム１０は、埋設物位置推定装置１００と関連する装置で構成される。関連する装置とは、例えば、ネットワーク５００に接続された属性Ａ管理装置２００、属性Ｂ管理装置３００、属性Ｃ管理装置４００である。本明細書での属性とは、埋設物の目的、管理者などに関する情報であり、例えば、通信用、電力用、水道用、下水道用、ガス用などである。属性Ａ管理装置２００は、例えば通信用の地下設備（埋設物）を管理する装置であり、埋設物情報記録部２９０は、通信用のマンホール、管路などの情報を記録している。属性Ｂ管理装置３００は、例えば電力用の地下設備（埋設物）を管理する装置であり、埋設物情報記録部３９０は、電力用のマンホール、管路などの情報を記録している。属性Ｃ管理装置４００は、例えば水道用の地下設備（埋設物）を管理する装置であり、埋設物情報記録部４９０は、水道用のマンホール、配水管などの情報を記録している。それぞれの管理装置は、同じ属性のマンホールと埋設物との位置関係の情報は管理しているので、マンホールの正確な位置座標が分かれば、埋設物の位置座標、深さなども分かる。図１では、埋設物の管理装置は３つ示しているが、３つに限定するものではない。
【００１１】
埋設物位置推定装置１００は、記録部１９０、中心線生成部１１０、中心線離隔計算部１２０、断面生成部１３０、マンホール選定部１４０、埋設物配置部１６０を備える。埋設物位置推定装置１００は、さらに、埋設物情報取得部１５０、横断図生成部１７０、離隔計算部１８０も備えてもよい。
【００１２】
本実施例では、記録部１９０は、あらかじめ、幅に関する情報も含んだ道路の位置座標を示す情報である道路情報と、マンホールの識別情報と属性と位置座標を関連付けたマンホール情報と、いずれかのマンホールの識別情報と関連付けされた埋設物の形状と位置を示す情報である埋設物情報を記録した状態となっている。「幅に関する情報も含んだ道路の位置座標を示す情報である道路情報」は、例えば、道路台帳、都市計画図、住宅情報などから得られる情報であり、道路を線として管理している情報ではなく、幅を持った施設として扱った情報である。「位置座標」とは、位置を特定する情報であり、例えば、緯度・経度の情報である。「マンホールの識別情報と属性と位置座標を関連付けたマンホール情報」は、カメラ付きの自動車を用いて得た映像と位置座標と、属性ごとの設備情報からあらかじめ作成し、記録部１９０に記録しておけばよい。また、属性Ａ管理装置２００から属性Ａのマンホールの識別情報と関連付けされた属性Ａの埋設物の形状と位置を示す情報である埋設物情報を取得し、属性Ｂ管理装置３００から属性Ｂのマンホールの識別情報と関連付けされた属性Ｂの埋設物の形状と位置を示す情報である埋設物情報を取得し、属性Ｃ管理装置４００から属性Ｃのマンホールの識別情報と関連付けされた属性Ｃの埋設物の形状と位置を示す情報である埋設物情報を取得し、記録部１９０に記録しておく。なお、この処理は、埋設物位置推定装置１００の内部もしくは外部の埋設物情報取得部１５０を用いて行ってもよいし、人が操作端末を用いて行ってもよい。
【００１３】
ここで、道路の下の埋設物について説明する。図３は道路の平面図であり、属性の異なるマンホール、地下設備の経路などを示した図である。道路の下にはいろいろな埋設物がある。図３は、交差点を含んだ道路９００を見た平面図である。太い実線は縁石を示している。特に、交差点の南側（下側）の縁石には符号を付し、縁石９１１，９１２としている。丸はマンホールを示している。実線の丸であるマンホール８１１，８１２，８１３は属性Ａ（例えば通信用）のマンホールである。二点鎖線の丸であるマンホール８２１，８２２，８２３は属性Ｂ（例えば電力用）のマンホールである。点線の丸であるマンホール８３１，８３２，８３３，８３４，８３５は属性Ｃ（例えば水道用）のマンホールである。マンホール８１１，８１２，８１３の中心を通っている実線８１６は属性Ａの地下設備の中心線である。マンホール８２１，８２２，８２３の中心を通っている二点鎖線８２６は属性Ｂの地下設備の中心線である。マンホール８３１，８３２，８３３，８３４，８３５の中心を通っている点線８３６，８３７は属性Ａの地下設備の中心線である。また、一点鎖線で示しているのは、道路９００の中心線１１１，１１２である。
【００１４】
属性Ａ管理装置２００、属性Ｂ管理装置３００、属性Ｃ管理装置４００が管理している情報は、数十年前に構築した情報も多いので、緯度・経度で示されるような位置座標は含まれていないことが多い。例えば、属性Ａのマンホール８１２の位置は、縁石９１１からの距離である隔離８１９で特定するように埋設物情報記録部２９０には記録されている。属性Ｂのマンホール８２２の位置は、官民境界線９２０からの距離である離隔８２９で特定するように埋設物情報記録部３９０には記録されている。属性Ｃのマンホール８３２の位置は、縁石９１２からの距離である離隔８３９で特定するように埋設物情報記録部４９０には記録されている。さらには、道路の拡張工事が行われた際に縁石の位置が移動したとしても、縁石からの距離を更新していないこともある。このように、属性Ａ管理装置２００、属性Ｂ管理装置３００、属性Ｃ管理装置４００が管理している情報だけでは、基準となる施設が異なることや更新されていないことなどから、属性Ａのマンホール８１２と、属性Ｂのマンホール８２２と、属性Ｃのマンホール８３２の相対的な位置は、正確には分からない。したがって、実線８１６、二点鎖線８２６、点線８３６の間隔も正確には分からない。
【００１５】
図４は、図３の位置１３１を含む道路９００の中心線１１１に垂直な断面１３２を示している。属性Ａの埋設物６１３は９個の管路、属性Ｂの埋設物６２３は６個の管路、属性Ｃの埋設物６３３は１つの配管である。「埋設物情報」には、このような埋設物の形状とマンホールとの相対的な位置を示す情報が含まれている。属性が同じであれば、同じ管理者が管理しているので、マンホールと埋設物の相対的な位置は管理できている。しかし、上述のとおり、埋設物の属性が異なると位置の基準が異なることが多いので、属性Ａの埋設物６１３と、属性Ｂの埋設物６２３と、属性Ｃの埋設物６３３の位置関係は正確には分からない。
【００１６】
中心線生成部１１０は、道路情報を用いて、道路の中心線の位置座標の情報である中心線情報を求め、記録部１９０に記録する（Ｓ１１０）。上述の道路情報には通常は中心線１１１，１１２の位置座標を示す情報は含まれていない。そこで、埋設物位置推定装置１００は、中心線生成部１１０を用いて中心線情報を求めればよい。ただし、道路台帳、都市計画図、住宅情報などが既に中心線の位置座標の情報も有しているのであれば、中心線情報としてもよい。
【００１７】
中心線離隔計算部１２０は、マンホールごとに、マンホール情報の位置座標から中心線までの距離である中心線離隔を求める（Ｓ１２０）。「中心線までの距離」とは、マンホールの中心から中心線までの最短距離であり、マンホールの中心から中心線に引いた垂線の長さである。図３内では、マンホール８１３の中心線離隔７１３、マンホール８２３の中心線離隔７２３、マンホール８３３の中心線離隔７３３が例示されていが、他のマンホールについても中心線離隔を求め、記録部１９０に記録する。なお、ステップＳ１１０，Ｓ１２０は、記録部１９０に、幅に関する情報も含んだ道路の位置座標を示す情報である道路情報と、マンホールの識別情報と属性と位置座標を関連付けたマンホール情報とが記録された後であれば、以降の処理を行う前にあらかじめ実行しておけばよい。
【００１８】
断面生成部１３０は、指定された位置を含む中心線と垂直な面である断面の図を作成する（Ｓ１３０）。例えば、図３の位置１３１が指定された場合、断面１３２を作成する。作成された断面のイメージが図４である。ただし、ステップＳ１３０を行った時点では、属性Ａの埋設物６１３、属性Ｂの埋設物６２３、属性Ｃの埋設物６３３は無い状態である。また、「断面の図を作成する」とは、埋設物位置推定装置１００の中で仮想的に作成するだけでよく、画像として出力することまで含む必要はない。
【００１９】
マンホール選定部１４０は、断面に存在する埋設物の属性ごとに、断面の近傍のマンホールを選定し、選定マンホールとする（Ｓ１４０）。例えば、断面に最も近いマンホールを属性ごとに選定してもよいし、中心線離隔計算部１２０が中心線離隔を求めたときに断面と交わる中心線の位置と選定マンホールとを関連付けておいてもよい。図３の例では、マンホール８１３，８２３，８３３が選定マンホールである。
【００２０】
埋設物配置部１６０は、選定マンホールの中心線離隔と、選定マンホールに関連付けされた埋設物情報に基づいて、断面の図に埋設物の図を配置する（Ｓ１６０）。図４の例の場合、ステップＳ１６０の処理が終了すると、属性Ａの埋設物６１３、属性Ｂの埋設物６２３、属性Ｃの埋設物６３３が配置された状態となる。なお、「断面の図に埋設物の図を配置する」とは、埋設物位置推定装置１００の中で仮想的に配置するだけでよく、画像として出力することまで含む必要はない。
【００２１】
横断図生成部１７０は、埋設物配置部１６０が配置した埋設物の図に基づいて、断面での埋設物の横断図を生成する（Ｓ１７０）。ステップＳ１７０の処理は、仮想的な図ではなく、人が確認できる画像または図面として横断図を出力する。出力された横断図から相対離隔１８１を求めればよい。また、横断図が出力されると、人は断面内の埋設物の位置関係を理解しやすい。
【００２２】
離隔計算部１８０は、埋設物配置部１６０が配置した埋設物の図に基づいて、埋設物同士の距離である相対離隔を求める（Ｓ１８０）。図４の例では、属性Ａの埋設物６１３と属性Ｂの埋設物６２３との相対離隔１８１を示しているが、離隔計算部１８０は、属性Ｂの埋設物６２３と属性Ｃの埋設物６３３との相対離隔も求める。
【００２３】
埋設物位置推定装置１００によれば、道路表面に存在するマンホールと道路の中心線との位置関係を求めることで、位置の基準を統一できるので、別々に管理されている異なる属性の埋設物の位置関係を求めることができる。よって、異なる属性の埋設物同士の離隔も分かる。
【００２４】
［変形例１］
実施例１では、あらかじめ埋設物情報を記録部１９０に記録していた。本変形例では、断面の図に配置する埋設物の埋設物情報を、途中で取得する処理フローを示す。埋設物位置推定システム１１の機能構成を図１に示す。本変形例の埋設物位置推定装置の処理フローの例を図５に示す。本変形例では、記録部１９１は、あらかじめ、幅に関する情報も含んだ道路の位置座標を示す情報である道路情報と、マンホールの識別情報と属性と位置座標を関連付けたマンホール情報を記録した状態となっている。埋設物位置推定装置１０１は、中心線生成部１１０、中心線離隔計算部１２０、断面生成部１３０、マンホール選定部１４０、埋設物情報取得部１５１、埋設物配置部１６０、横断図生成部１７０、離隔計算部１８０を備えている。中心線生成部１１０、中心線離隔計算部１２０、断面生成部１３０、マンホール選定部１４０、埋設物配置部１６０、横断図生成部１７０、離隔計算部１８０は、実施例１と同じである。
【００２５】
ステップＳ１１０〜Ｓ１４０は実施例１と同じである。その後、埋設物情報取得部１５１が、選定マンホールの識別情報と関連付けされた埋設物の形状と位置を示す情報である埋設物情報を取得する（Ｓ１５１）。埋設物情報取得部１５１は、属性Ａ管理装置２００、属性Ｂ管理装置３００、属性Ｃ管理装置４００から選定マンホールの識別情報と関連付けされた埋設物の形状と位置を示す情報を取得すればよい。ステップＳ１６０，Ｓ１７０，Ｓ１８０は実施例１と同じである。なお、ステップＳ１１０は、記録部１９０に、幅に関する情報も含んだ道路の位置座標を示す情報である道路情報が記録された後であれば、ステップＳ１３０以降の処理を行う前にあらかじめ実行しておけばよい。
【００２６】
埋設物位置推定装置１０１によっても、道路表面に存在するマンホールと道路の中心線との位置関係を求めることで、位置の基準を統一できるので、別々に管理されている異なる属性の埋設物の位置関係を求めることができる。よって、異なる属性の埋設物同士の離隔も分かる。
【００２７】
［変形例２］
本変形例でも、変形例１と同じように断面の図に配置する埋設物の埋設物情報を、途中で取得する。埋設物位置推定システム１２の機能構成を図１に示す。本変形例の埋設物位置推定装置の処理フローの例を図６に示す。本変形例では、記録部１９１は、あらかじめ、幅に関する情報も含んだ道路の位置座標を示す情報である道路情報と、マンホールの識別情報と属性と位置座標を関連付けたマンホール情報を記録した状態となっている。埋設物位置推定装置１０２は、中心線生成部１１０、中心線離隔計算部１２２、断面生成部１３０、マンホール選定部１４０、埋設物情報取得部１５１、埋設物配置部１６０、横断図生成部１７０、離隔計算部１８０を備えている。中心線生成部１１０、断面生成部１３０、マンホール選定部１４０、埋設物配置部１６０、横断図生成部１７０、離隔計算部１８０は、実施例１と同じである。
【００２８】
ステップＳ１１０は実施例１と同じである。また、ステップＳ１２０を行わず、ステップＳ１３０，Ｓ１４０を行う。その後、中心線離隔計算部１２２が、選定マンホールごとに、マンホール情報の位置座標から中心線までの距離である中心線離隔を求める（Ｓ１２２）。そして、埋設物情報取得部１５１が、選定マンホールの識別情報と関連付けされた埋設物の形状と位置を示す情報である埋設物情報を取得する（Ｓ１５１）。埋設物情報取得部１５１は、属性Ａ管理装置２００、属性Ｂ管理装置３００、属性Ｃ管理装置４００から選定マンホールの識別情報と関連付けされた埋設物の形状と位置を示す情報を取得すればよい。ステップＳ１６０，Ｓ１７０，Ｓ１８０は実施例１と同じである。なお、ステップＳ１１０は、記録部１９０に、幅に関する情報も含んだ道路の位置座標を示す情報である道路情報が記録された後であれば、ステップＳ１３０以降の処理を行う前にあらかじめ実行しておけばよい。
【００２９】
埋設物位置推定装置１０２によっても、道路表面に存在するマンホールと道路の中心線との位置関係を求めることで、位置の基準を統一できるので、別々に管理されている異なる属性の埋設物の位置関係を求めることができる。よって、異なる属性の埋設物同士の離隔も分かる。
【００３０】
［プログラム、記録媒体］
上述の各種の処理は、図７に示すコンピュータ２０００の記録部２０２０に、上記方法の各ステップを実行させるプログラムを読み込ませ、制御部２０１０、入力部２０３０、出力部２０４０、表示部２０５０などに動作させることで実施できる。
【００３１】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
【００３２】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００３３】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００３４】
また、この形態では、コンピュータ上で所定のプログラムを実行させることにより、本装置を構成することとしたが、これらの処理内容の少なくとも一部をハードウェア的に実現することとしてもよい。
【符号の説明】
【００３５】
１０，１１，１２  埋設物位置推定システム
１００，１０１，１０２  埋設物位置推定装置
１１０  中心線生成部                    １２０，１２２  中心線離隔計算部
１３０  断面生成部                      １４０  マンホール選定部
１５０，１５１  埋設物情報取得部        １６０  埋設物配置部
１７０  横断図生成部                    １８０  離隔計算部
１９０，１９１  記録部                  ２００  属性Ａ管理装置
２９０，３９０，４９０  埋設物情報記録部
３００  属性Ｂ管理装置                  ４００  属性Ｃ管理装置
５００  ネットワーク
【要約】
【課題】別々に管理されている埋設物の位置関係を知るための横断図作成装置を提供する。
【解決手段】本発明の埋設物位置推定装置は、中心線生成部、中心線離隔計算部、断面生成部、マンホール選定部、埋設物配置部を備える。中心線生成部は、道路情報を用いて、道路の中心線の位置座標の情報である中心線情報を求める。中心線離隔計算部は、マンホール情報の位置座標から中心線までの距離である中心線離隔を求める。断面生成部は、指定された位置を含む中心線と垂直な面である断面の図を作成する。マンホール選定部は、断面に存在する埋設物の属性ごとに、断面の近傍のマンホールを選定し、選定マンホールとする。埋設物配置部は、選定マンホールの中心線離隔と、選定マンホールに関連付けされた埋設物情報に基づいて、断面の図に埋設物の図を配置する。
【選択図】図１【図１】
0006771629.tif 000002
【図２】
0006771629.tif 000003
【図３】
0006771629.tif 000004
【図４】
0006771629.tif 000005
【図５】
0006771629.tif 000006
【図６】
0006771629.tif 000007
【図７】
0006771629.tif 000008